(57)【特許請求の範囲】
【請求項１】
被写体に放射線を照射する放射線源と、
前記被写体を透過した放射線を検出する検出手段と、
前記放射線源と前記検出手段とを相対的に移動させ、前記放射線源と前記検出手段との相対的な移動による複数の線源位置において前記被写体に前記放射線を照射して、前記複数の線源位置における複数の撮影画像を取得する画像取得手段と、
前記複数の撮影画像を再構成することにより前記被写体の断層画像を生成する画像再構成手段と、
前記被写体における関心領域を設定する関心領域設定手段と、
前記複数の撮影画像を取得するに際し、前記放射線源のみを移動させる第１のモードと、前記放射線源および前記検出手段の双方を移動させる第２のモードとのいずれかを、前記設定された関心領域に応じて選択する選択手段とを備え、
前記画像取得手段は、前記選択手段により選択されたモードにしたがって前記複数の撮影画像を取得することを特徴とする放射線撮影装置。
【請求項２】
前記選択手段は、前記設定された関心領域が前記第１のモードにおける再構成可能な領域に含まれる場合に該第１のモードを選択し、前記設定された関心領域が前記第１のモードにおける再構成可能な領域よりも大きい場合に前記第２のモードを選択する手段であることを特徴とする請求項１記載の放射線撮影装置。
【請求項３】
前記第２のモードは、前記放射線源と前記検出手段とを同期させて相対的に移動させるモードであることを特徴とする請求項１または２記載の放射線撮影装置。
【請求項４】
前記選択手段は、前記設定された関心領域が前記第２のモードにおける再構成可能な領域に含まれない場合、前記検出手段を複数の位置に移動させ、該複数の位置のそれぞれにおいて前記放射線源のみを移動させる第３のモードを選択する手段であることを特徴とする請求項１から３のいずれか１項記載の放射線撮影装置。
【発明の詳細な説明】
【技術分野】
【０００１】
本発明は、断層画像を生成するトモシンセシス撮影を行うための放射線撮影装置に関するものである。
【背景技術】
【０００２】
近年、Ｘ線撮影装置において、患部をより詳しく観察するために、Ｘ線管を移動させて異なる角度から被写体にＸ線を照射して撮影を行い、得た画像を加算して所望の断層面を強調した画像を得ることができるトモシンセシス撮影が提案されている。トモシンセシス撮影では、撮影装置の特性や必要な断層画像に応じて、Ｘ線管をＸ線検出器と平行に移動させたり、円や楕円の弧を描くように移動させて、異なる照射角で被写体を撮影した複数の撮影画像を取得して、これらの撮影画像を再構成して断層画像を作成する。
【０００３】
このようなトモシンセシス撮影を行う場合において、Ｘ線を被写体に照射する際に、Ｘ線管を停止せず、速度を変更させるかまたは連続移動して、複数の撮影画像の取得時間を短縮させるようにしたシステムが提案されている（特許文献１参照）。また、１回の撮影により複数の断層面の画像を得るシステムも提案されている（特許文献２参照）。
【０００４】
ところで、トモシンセシス撮影を行うに際しては、Ｘ線管のみを移動させて撮影画像を取得する場合と、Ｘ線管およびＸ線検出器の双方を移動させて撮影画像を取得する場合とがある。複数の撮影画像から再構成可能な領域の大きさを考慮した場合、Ｘ線管およびＸ線検出器の双方を移動させる方が好ましい。しかしながら、Ｘ線管およびＸ線検出器の双方を移動させた場合、Ｘ線検出器を精度良く移動させないと、撮影画像上に投影される対象物の位置ずれ等が生じ、再構成により生成される断層画像の画質が劣化するという問題がある。一方、Ｘ線管のみを移動させた場合は、Ｘ線検出器の移動の問題がないため、Ｘ線管およびＸ線検出器の双方を移動させる場合よりも高画質の断層画像を再構成することができる。
【０００５】
このように、トモシンセシス撮影を行うに際しては、Ｘ線管のみを移動させる場合、およびＸ線管およびＸ線検出器の双方を移動させる場合があるが、とくに特許文献１に記載されたシステムにおいては、Ｘ線検出器を選択的に可動させることが可能となっている。このため、特許文献１のシステムを用いることにより、操作者は断層画像を取得するための撮影目的および関心領域の大きさ等の撮影条件に応じて、Ｘ線検出器を移動させないモードと移動させるモードとを選択することができる。
【先行技術文献】
【特許文献】
【０００６】
【特許文献１】特開２００４−１３０１３３号公報
【特許文献２】特開２００５−１３７８７８号公報
【発明の概要】
【発明が解決しようとする課題】
【０００７】
しかしながら、特許文献１に記載されたシステムにおいては、Ｘ線管のみを移動させるか、Ｘ線管およびＸ線検出器の双方を移動させるかの選択を操作者が行うものである。このため、操作者が撮影条件と適合しないモードを選択してしまうと、所望とする画質あるいは関心領域を含む断層画像を得ることができなくなってしまう。この場合、操作者はモードを選択する前に、撮影条件に応じたモードを確認した上でモードを選択すればよいが、撮影する毎にモードを確認することは操作者の負担が大きい。
【０００８】
本発明は上記事情に鑑みなされたものであり、トモシンセシス撮影を行うに際し、操作者に負担をかけることなく、撮影条件に応じた適切な断層画像を得ることができるようにすることを目的とする。
【課題を解決するための手段】
【０００９】
本発明による放射線撮影装置は、被写体に放射線を照射する放射線源と、
前記被写体を透過した放射線を検出する検出手段と、
前記放射線源と前記検出手段とを相対的に移動させ、前記放射線源と前記検出手段との相対的な移動による複数の線源位置において前記被写体に前記放射線を照射して、前記複数の線源位置における複数の撮影画像を取得する画像取得手段と、
前記複数の撮影画像を再構成することにより前記被写体の断層画像を生成する画像再構成手段と、
前記複数の撮影画像を取得するに際し、前記放射線源のみを移動させる第１のモードと、前記放射線源および前記検出手段の双方を移動させる第２のモードとのいずれかを、撮影条件に応じて選択する選択手段とを備え、
前記画像取得手段は、前記選択手段により選択されたモードにしたがって前記複数の撮影画像を取得することを特徴とするものである。
【００１０】
「撮影条件」とは、第１および第２のモードを選択するための基準となる条件であり、具体的には、被写体の撮影部位および被写体の関心領域のいずれかを撮影条件として用いることができる。なお、撮影条件としては、被写体の撮影部位および被写体の関心領域に限定されるものではなく、断層画像を用いた検査の目的（精密検査、通常の検査、経過観察等）、および対象となる病変の種類（石灰化、腫瘍等）等を撮影条件として用いることができる。なお、「関心領域」とは、画像を用いた診断に際して、とくに関心度の高い領域であり、被写体内における断層画像を取得する対象となる領域である。なお、本発明においては、関心領域は、被写体における深さ方向（すなわち放射線が進む方向）における範囲と、深さ方向に直交する面内の範囲とにより規定される３次元の領域となる。
【００１１】
なお、本発明による放射線撮影装置においては、前記被写体の撮影部位を設定する部位設定手段をさらに備えるものとし、
前記選択手段を、前記設定された部位に応じて前記第１および前記第２のモードを選択する手段としてもよい。
【００１２】
また、本発明による放射線撮影装置においては、前記被写体における関心領域を設定する関心領域設定手段をさらに備えるものとし、
前記選択手段を、前記設定された関心領域に応じて前記第１および前記第２のモードを選択する手段としてもよい。
【００１３】
また、本発明による放射線撮影装置においては、前記第２のモードを、前記放射線源と前記検出手段とを同期させて相対的に移動させるモードとしてもよい。
【００１４】
また、本発明による放射線撮影装置においては、前記第２のモードを、前記検出手段を複数の位置に移動させ、該複数の位置のそれぞれにおいて前記放射線源のみを移動させるモードとしてもよい。
【発明の効果】
【００１５】
本発明によれば、撮影条件に応じて放射線源のみを移動させる第１のモードと、放射線源および検出手段の双方を移動させる第２のモードとのいずれかを選択するようにしたものである。このため、操作者に負担をかけることなく、撮影条件に応じて適切な断層画像が取得されるように、第１および第２のモードを選択することができる。
【００１６】
また、被写体の撮影部位に応じて第１および第２のモードを選択することにより、撮影部位に応じた適切な断層画像が生成されるように、第１および第２のモードを選択することができる。
【００１７】
また、被写体における関心領域に応じて第１および第２のモードを選択することにより、関心領域を含む適切な断層画像が生成されるように、第１および第２のモードを選択することができる。
【００１８】
また、第２のモードを、放射線源と検出手段とを同期させて相対的に移動させるモードとすることにより、第１のモードよりも再構成可能な領域を広くすることができる。
【００１９】
また、第２のモードを、検出手段を複数の位置に移動させ、複数の位置のそれぞれにおいて放射線源のみを移動させるモードとすることにより、放射線源と検出手段とを同期させて相対的に移動させる場合よりも、さらに再構成可能な領域を広くすることができる。
【図面の簡単な説明】
【００２０】
【図１】本発明の第１の実施形態による放射線撮影装置を適用したＸ線撮影装置の概略図
【図２】トモシンセシス撮影を説明するための図
【図３】第１のモードにおける再構成可能な領域を説明するための図
【図４】第２のモードにおける再構成可能な領域を説明するための図
【図５】第１のモードおよび第２のモードにおける再構成可能な領域の比較結果を示す図
【図６】撮影部位とモードとの対応関係のテーブルを示す図
【図７】第１の実施形態において行われる処理を示すフローチャート
【図８】第２の実施形態において行われる処理を示すフローチャート
【図９】第３のモードを説明するための図（その１）
【図１０】第３のモードを説明するための図（その２）
【発明を実施するための形態】
【００２１】
以下、図面を参照して本発明の実施形態について説明する。図１は本発明の第１の実施形態による放射線撮影装置を適用したＸ線撮影装置の概略図である。図１に示すように、本実施形態によるＸ線撮影装置１０は、Ｘ線管１２およびフラットパネルＸ線検出器（以下、単に検出器とする）１４を備える。Ｘ線管１２は移動機構１６により直線または円弧に沿って移動し、移動経路上の複数の位置において、撮影台天板４上の被写体２にＸ線を照射する。本実施形態においては直線に沿って矢印Ａ方向にＸ線管１２を移動させるものとする。なお、被写体２へのＸ線照射量は後述する制御部により所定量となるように制御される。また、Ｘ線管１２にはコリメータ（照射野絞り）６が接続されており、被写体２に照射されるＸ線の範囲を操作者が設定できるようになっている。
【００２２】
検出器１４は、被写体２を透過したＸ線を検出するために、被写体２を載置する撮影台天板４を間に挟んでＸ線管１２と対向するように配置されている。検出器１４は、移動機構１８により必要に応じて直線または円弧に沿って移動し、移動経路上の複数の位置において被写体２を透過したＸ線を検出する。本実施形態においては直線に沿って矢印Ｂ方向に検出器１４を移動させるものとする。
【００２３】
また、Ｘ線撮影装置１０は、画像取得部２０および再構成部２２を備える。画像取得部２０は、直線に沿ってＸ線管１２を移動させて異なる角度から被写体２にＸ線を照射し、被写体２を透過したＸ線を検出器１４により検出して、移動中の複数の位置における複数の撮影画像を取得する。再構成部２２は、画像取得部２０が取得した複数の撮影画像を再構成することにより、被写体２の所望の断面を示す断層画像を生成する。以下に、断層画像を再構成する方法を説明する。
【００２４】
図２に示すように、Ｘ線管１２をＳ１、Ｓ２、・・・、Ｓｎの各位置から異なる照射角で被写体２を撮影すると、それぞれ撮影画像Ｇ１、Ｇ２、・・・、Ｇｎが得られるものとする。そこで、例えば、線源の位置Ｓ１から、異なる深さに存在する対象物（Ｏ１、Ｏ２）を投影すると、撮影画像Ｇ１上にはＰ１１、Ｐ１２の位置に投影され、線源の位置Ｓ２から、対象物（Ｏ１、Ｏ２）を投影すると、撮影画像Ｇ２上にはＰ２１、Ｐ２２の位置に投影される。このように、繰り返し異なる線源位置Ｓ１、Ｓ２、・・・、Ｓｎから投影を行うと、各線源位置に対応して対象物Ｏ１は、Ｐ１１、Ｐ２１、・・・、Ｐｎ１の位置に投影され、対象物Ｏ２は、Ｐ１２、Ｐ２２、・・・、Ｐｎ２の位置に投影される。
【００２５】
対象物Ｏ１の存在する断面を強調したい場合には、撮影画像Ｇ２を（Ｐ２１−Ｐ１１）分移動させ、撮影画像Ｇ３を（Ｐ３１−Ｐ１１）分移動させ、・・・、撮影画像Ｇｎを（Ｐｎ１−Ｐ１１）分移動させた画像を加算することにより、対象物Ｏ１の深さにある断面上の構造物を強調した断層画像が作成される。また、対象物Ｏ２の存在する断面を強調したい場合には、撮影画像Ｇ２は（Ｐ２２−Ｐ１２）分移動させ、撮影画像Ｇ３を（Ｐ３２−Ｐ１２）分移動させ、・・・、撮影画像Ｇｎを（Ｐｎ２−Ｐ１２）分移動させて加算する。このようにして、必要とする断層の位置に応じて各撮影画像Ｇ１、Ｇ２、・・・、Ｇｎを位置合わせして加算することにより、所望の位置における断層画像を強調した画像を取得することができる。
【００２６】
また、Ｘ線撮影装置１０は、操作部２４、表示部２５および記憶部２６を備える。操作部２４はキーボード、マウスあるいはタッチパネル方式の入力装置からなり、操作者によるＸ線撮影装置１０の操作を受け付ける。本実施形態においては、操作者が操作部２４から入力した情報に従って、Ｘ線撮影装置１０の各部が動作する。表示部２５は液晶モニタ等の表示装置であり、画像取得部２０が取得した撮影画像および再構成部２２が再構成した断層画像の他、操作に必要なメッセージ等を表示する。記憶部２６は、Ｘ線撮影装置１０を動作させるために必要な各種パラメータおよびテーブル等を記憶している。
【００２７】
また、Ｘ線撮影装置１０は選択部２８を備える。選択部２８は、トモシンセシス撮影を行って複数の撮影画像を取得するに際し、Ｘ線管１２のみを移動させる第１のモードと、Ｘ線管１２および検出器１４の双方を同期させて移動させる第２のモードとのいずれかを選択し、選択結果に応じて、移動機構１６を駆動するとともに、移動機構１８を選択的に駆動する。
【００２８】
以下、第１のモードおよび第２のモードのそれぞれにおける再構成可能な領域について説明する。図３は第１のモードにおける再構成可能な領域を説明するための図、図４は第２のモードにおける再構成可能な領域を説明するための図である。なお、図３および図４においては、Ｘ線管１２の移動位置のみを示し、Ｘ線管１２そのものの図示は省略している。また、図３および図４においては、Ｘ線管１２の走行幅（すなわち位置Ｓ１と位置Ｓｎとの距離）をｓ、Ｘ線管１２と検出器１４の検出面との距離をｄ、Ｘ線管１２の移動方向における検出器１４の幅をｗとする。
【００２９】
まず、第１のモードの場合、図３に示すように、Ｘ線管１２が位置Ｓ１にある場合と、位置Ｓｎにある場合とにおける検出器１４へのＸ線の照射範囲が重なる部分Ａ０（グレーで示す）が、断層画像として再構成可能な領域となる。ここで、検出器１４の検出面からの任意の高さｚにおける再構成可能な領域の幅Ｗ０は、下記の式（１）により算出することができる。
【００３０】
Ｗ０＝ｗ−（ｗ＋ｓ）・ｚ／ｄ      （１）
一方、第２のモードにおいては検出器１４も移動するため、図４に示すように、Ｘ線管１２が位置Ｓ１にある場合において検出器１４がＸ線管１２から最も離れた位置にある場合（検出器１４を実線で示す）と、Ｘ線管１２が位置Ｓｎにある場合において検出器１４がＸ線管１２から最も離れた位置にある場合（検出器１４を仮想線で示す）とにおける、検出器１４へのＸ線の照射範囲が重なる部分Ａ１（グレーで示す）が、断層画像として再構成可能な領域となる。なお、図４において、Ｘ線管１２が位置Ｓ１にある場合における検出器１４がＸ線管１２から最も離れた位置にある場合の検出器１４の幅の中心位置とＸ線管１２とを結ぶ線分と、Ｘ線管１２が位置Ｓｎにある場合における検出器１４がＸ線管１２から最も離れた位置にある場合の検出器１４の幅の中心位置とＸ線管１２とを結ぶ線分との交点と、検出器１４の検出面との距離をｃとする。
【００３１】
図４において、検出器１４が最左端にある場合（実線）の検出器１４の左端と、最右端にある場合（仮想線）の検出器１４の左端との距離はｃ／（ｄ−ｃ）・ｓとなる。したがって、最左端にある場合の検出器１４の右端と最右端にある場合の検出器１４の左端との距離はｗ−ｃ／（ｄ−ｃ）・ｓ、最左端にある場合の検出器１４の左端と最右端にある場合の検出器１４の右端との距離はｗ＋ｃ／（ｄ−ｃ）・ｓとなる。
【００３２】
ここで、第２のモードにおける検出器１４の検出面からの任意の高さｚにおける関心領域の幅Ｗ０は、下記の式（２）、（３）により算出することができる。なお、ｚ０は、再構成可能な領域が最も広くなる位置と検出器１４の検出面との距離である。
【００３３】
Ｗ０＝（ｗ−ｃ／（ｄ−ｃ）・ｓ）−（ｗ−ｄ／（ｄ−ｃ）・ｓ）・ｚ／ｄ
（０≦ｚ≦ｚ０）      （２）
Ｗ０＝（ｗ＋ｃ／（ｄ−ｃ）・ｓ）−（ｗ＋ｄ／（ｄ−ｃ）・ｓ）・ｚ／ｄ
（ｚ＞ｚ０）      （３）
図５は第１のモードおよび第２のモードにおける再構成可能な領域の比較結果を示す図である。なお、図５においては、第１のモードによる再構成可能な領域の外縁を実線で、第２のモードによる再構成可能な領域の外縁を破線で示す。また、第１および第２のモードにおいてＸ線管１２の移動の方法およびＸ線管１２と検出器１４の検出面との距離等の条件を変更すると再構成可能な領域も変更されるため、図５に示す例においては、第１および第２のモードにおいて条件は変更されていないものとする。
【００３４】
ここで、図３および図４を比較すると検出器１４の検出面近くでは、第１のモードの方が再構成可能な領域は広いが、検出器１４の上方には撮影台天板４が存在するため、実際に再構成可能な領域は検出器１４の検出面と撮影台天板４との距離の分だけ小さくなる。また、このため、図５に示すように、第１および第２のモードとを比較すると、被写体の中心面付近においては、第２のモードの方が再構成可能な領域が大きいことが分かる。
【００３５】
第１の実施形態においては、操作部２４から操作者により入力された撮影部位に応じて、選択部２８が第１および第２のモードを選択する。ここで、第１の実施形態においては、記憶部２６に撮影部位とモードとの対応関係がテーブルとして記憶されている。図６は撮影部位とモードとの対応関係のテーブルを示す図である。図６に示すように、テーブルＴ１には、例として四肢、頭部、胸部および腹部という撮影部位のそれぞれに対して、第１のモードおよび第２のモードが対応づけられている。
【００３６】
ここで、四肢および頭部は胸部および腹部と比較して幅が狭い。また、四肢および頭部は骨の状態や脳内の血管の様子等を鮮明に視認可能とする必要がある。このため、四肢および頭部は範囲は狭いものの、高画質の断層画像を得ることが可能な第１のモードが対応づけられている。一方、胸部および腹部は四肢および頭部と比較して範囲が広い。このため、胸部および腹部は再構成可能な領域が広い第２のモードが対応づけられている。
【００３７】
また、Ｘ線撮影装置１０は関心領域設定部３０を備える。操作者は、操作部２４を用いて、被写体２の深さ方向の範囲（例えば撮影台天板からの高さ）を設定し、深さ方向に直交する面内の範囲をコリメータ６を用いて設定する。なお、コリメータ６を用いて範囲を設定する際には、Ｘ線に代えて可視光がコリメータ６を介して被写体２に照射される。これにより、操作者は被写体２に照射された可視光の範囲をコリメータ６を用いて調整すれば、深さ方向に直交する面内の範囲を設定することができる。関心領域設定部３０は、操作者が操作部２４を用いて設定した被写体２の深さ方向の範囲、および操作者がコリメータ６を用いて設定した深さ方向に直交する面内の範囲に基づいて、３次元状の関心領域を設定する。
【００３８】
さらに、Ｘ線撮影装置１０は、Ｘ線撮影装置１０の各部を制御するための制御部３２を備える。制御部３２は、操作部２４からの指示に応じてＸ線撮影装置１０の各部を制御する。
【００３９】
次いで第１の実施形態において行われる処理について説明する。図７は第１の実施形態において行われる処理を示すフローチャートである。まず、制御部３２は操作者による撮影部位の入力を操作部２４により受け付ける（ステップＳＴ１）。選択部２８は記憶部２６に記憶されたテーブルＴ１を参照して、第１および第２のモードのいずれかを選択する（モード選択、ステップＳＴ２）。一方、制御部３２は、選択されたモードを表示部２５に表示し（ステップＳＴ３）、操作者に選択されたモードの確認を促す。そして、制御部３２は、操作者による確認の指示がなされたか否かの監視を開始し（ステップＳＴ４）、ステップＳＴ４が肯定されると、選択されたモードによりトモシンセシス撮影を行い（ステップＳＴ５）、画像取得部２０が複数の撮影画像を取得する（ステップＳＴ６）。そして、再構成部２２が複数の撮影画像を再構成して断層画像を生成し（ステップＳＴ７）、処理を終了する。なお、生成された断層画像は、不図示のＨＤＤ等の記憶装置に記憶されるか、またはネットワークを介して外部のサーバに送信される。
【００４０】
このように、第１の実施形態においては、撮影部位に応じてＸ線管１２のみを移動させる第１のモードと、Ｘ線管１２および検出器１４の双方を移動させる第２のモードとのいずれかを選択するようにしたものである。このため、操作者に負担をかけることなく、撮影部位に応じて適切な断層画像が生成されるように、第１および第２のモードを選択することができる。
【００４１】
次いで、本発明の第２の実施形態について説明する。なお、本発明の第２の実施形態によるＸ線撮影装置は第１の実施形態によるＸ線撮影装置１０と同一の構成を有し、行われる処理のみが異なるため、ここでは構成についての詳細な説明は省略する。第２の実施形態によるＸ線撮影装置１０は、関心領域に応じて第１および第２のモードを選択するようにした点が第１の実施形態と異なる。このため、選択部２８は、関心領域設定部３０が設定した関心領域に応じて、第１および第２のモードのいずれかを選択し、選択結果に応じて、移動機構１６を駆動するとともに、移動機構１８を選択的に駆動する。
【００４２】
ここで、第２の実施形態においては、選択部２８は、関心領域設定部３０が設定した関心領域と、第１のモードにおける再構成可能な領域と比較する。そして、設定した関心領域が、第１のモードにおける再構成可能な領域内に含まれる場合、第１のモードを選択する。逆に、設定した関心領域が、第１のモードにおける再構成可能な領域内に含まれない場合、すなわち設定した関心領域が第１のモードにおける再構成可能な領域よりも大きい場合、第２のモードを選択する。
【００４３】
次いで第２の実施形態において行われる処理について説明する。図８は第２の実施形態において行われる処理を示すフローチャートである。まず、制御部３２は操作者による深さ方向の範囲および深さ方向に直交する面内の範囲の設定を操作部２４により受け付ける（範囲設定受け付け、ステップＳＴ１１）。次いで、関心領域設定部３０は、操作者が設定した範囲に基づいて関心領域を設定する（ステップＳＴ１２）。選択部２８は関心領域に応じて第１および第２のモードのいずれかを選択する（モード選択、ステップＳＴ１３）。一方、制御部３２は、選択されたモードを表示部２５に表示し（ステップＳＴ１４）、操作者に選択されたモードの確認を促す。そして、制御部３２は、操作者による確認の指示がなされたか否かの監視を開始し（ステップＳＴ１５）、ステップＳＴ１５が肯定されると、選択されたモードによりトモシンセシス撮影を行い（ステップＳＴ１６）、画像取得部２０が複数の撮影画像を取得する（ステップＳＴ１７）。そして、再構成部２２が複数の撮影画像を再構成して断層画像を生成し（ステップＳＴ１８）、処理を終了する。
【００４４】
このように、第２の実施形態においては、関心領域に応じてＸ線管１２のみを移動させる第１のモードと、Ｘ線管１２および検出器１４の双方を移動させる第２のモードとのいずれかを選択するようにしたものである。このため、操作者に負担をかけることなく、関心領域を含む適切な断層画像が生成されるように、第１および第２のモードを選択することができる。
【００４５】
次いで、本発明の第３の実施形態について説明する。なお、本発明の第３の実施形態によるＸ線撮影装置は第１の実施形態によるＸ線撮影装置１０と同一の構成を有し、行われる処理のみが異なるため、ここでは構成についての詳細な説明は省略する。第３の実施形態によるＸ線撮影装置１０は、第２の実施形態において、第２のモードにおける再構成可能な領域内に設定した関心領域が含まれない場合、さらに第３のモードを選択するようにした点が第２の実施形態と異なる。
【００４６】
ここで、第３のモードは、検出器１４を複数の位置に移動させ、複数の位置のそれぞれにおいて検出器１４を固定して、Ｘ線管１２のみを移動させるモードである。図９および図１０は第３のモードを説明するための図である。なお、ここでは検出器１４を２つの位置に移動させているが、３以上の位置に移動させてもよいことはもちろんである。なお、第３の実施形態においては、検出器１４を移動させる各位置において、検出器１４の端部があらかじめ定められた所定量重なるように、検出器１４を移動させるものとする。まず、図９に示す１回目の撮影においては、検出器１４を位置Ｓｎ寄りの第１の位置に移動させ、第１の位置において検出器１４を固定して、Ｘ線管１２を移動させつつ被写体２にＸ線を照射し、被写体２を透過したＸ線を検出器１４により検出して、Ｘ線管１２の移動中の各位置における複数の撮影画像を取得する。次いで、２回目の撮影においては、図１０に示すように検出器１４を位置Ｓ１寄りの第２の位置に移動させ、第２の位置において検出器１４を固定して、Ｘ線管１２を移動させつつ被写体２のＸ線を照射し、被写体２を透過したＸ線を検出器１４により検出して、Ｘ線管１２の移動中の各位置における複数の撮影画像を取得する。なお、図１０においては、第１の位置の検出器１４に位置Ｓ１にあるＸ線管１２から照射されるＸ線を仮想線にて示している。
【００４７】
第３の実施形態においては、画像取得部２０は、１回目および２回目のそれぞれの撮影により取得した複数の撮影画像について、Ｘ線管１２の位置が同一の２つの撮影画像を連結する。なお、１回目および２回目の撮影において、検出器１４の端部が重なるようにしているため、Ｘ線管１２の位置が同一の２つの撮影画像の連結は容易に行うことができる。そして、再構成部２２は連結された複数の撮影画像を再構成して断層画像を生成する。なお、第３の実施形態において再構成可能な領域は、図１０に示すグレーの領域Ａ２となる。
【００４８】
このように、第３の実施形態においては、検出器１４を複数の位置に移動させ、複数の位置のそれぞれにおいて検出器１４を固定して、Ｘ線管１２のみを移動させてトモシンセシス撮影を行うようにしたため、第２のモードのようにＸ線管１２と検出器１４とを同期させて移動させる場合よりも、さらに再構成可能な領域を広くすることができる。
【００４９】
なお、上記第１から第３の実施形態においては、撮影部位あるいは関心領域に応じて第１および第２のモードさらには第３のモードを選択しているが、モードの選択は撮影部位あるいは関心領域に応じたものに限定されるものではなく、断層画像を用いた検査の目的（精密検査、通常の検査、経過観察等）、および対象となる病変の種類（石灰化、腫瘍等）等の撮影条件に応じて選択するようにしてもよい。例えば、経過観察を検査の目的とした場合、前回と同一のモードを選択することにより、経過を良好に観察することが可能となる。
【００５０】
また、上記第１および第２の実施形態においては、第１および第２のモードのいずれかを選択するようにしているが、第１および第３のモードのいずれかを選択するようにしてもよい。
【００５１】
また、上記第１および第２の実施形態においては、被写体を臥位にて撮影台に載置してトモシンセシス撮影を行っているが、立位の撮影台を用いてトモシンセシス撮影を行う場合にも本願発明を適用できることはもちろんである。
【符号の説明】
【００５２】
２    被写体
４    撮影台天板
６    コリメータ
１０    Ｘ線撮影装置
１２    Ｘ線管
１４    検出器
１６，１８    移動機構
２０    画像取得部
２２    再構成部
２４    操作部
２５    表示部
２６    記憶部
２８    選択部
３０    関心領域設定部
３２    制御部
【図１】
0005437001.tif 000002
【図２】
0005437001.tif 000003
【図５】
0005437001.tif 000004
【図６】
0005437001.tif 000005
【図７】
0005437001.tif 000006
【図８】
0005437001.tif 000007
【図９】
0005437001.tif 000008
【図３】
0005437001.tif 000009
【図４】
0005437001.tif 000010
【図１０】
0005437001.tif 000011